(57)【特許請求の範囲】
【請求項１】
成形される型成形体の素材よりも軽量なパッドを複数配設して成る成形型枠を使用し、該成形型枠内にスラリー状の素材を打設する打設工程と、前記スラリー状の素材を養生する養生工程と、前記パッドを型成形体に残存した状態で型成形体を成形型枠から脱型させる脱型工程とを経て型成形体を得る型成形体の製造方法であって、前記パッドを前記成形型枠に植設し、前記脱型工程に先立って、硬化した型成形体を成形型枠の内面に沿った方向に移動させ、前記パッドの基部をせん断して、前記パッドを型成形体に残存させることを特徴とする、型成形体の製造方法。
【請求項２】
前記成形型枠のパッドとして、合成樹脂、蝋（ＷＡＸ）のいずれかの溶融可能な材質の部材を使用することを特徴とする、請求項１に記載の型成形体の製造方法。
【請求項３】
前記成形型枠のパッドは、基部周面に環状凹部を備えていることを特徴する、請求項１に記載の型成形体の製造方法。
【請求項４】
筒状の成形型枠の内面に前記パッドを配設し、遠心力成形によって型成形体を得ることを特徴とする、請求項１に記載の型成形体の製造方法。
【発明の詳細な説明】
【技術分野】
【０００１】
本発明は、型成形体の製造方法に関し、詳しくは、軽量な型成形体を容易に得ることができる型成形体の製造方法に関するものである。
【背景技術】
【０００２】
型成形体、即ち、成形型枠を使用して成形される板体として、板体の裏面に、亀甲形状のリブを隆設して、六角形の凹部を多数形成したコンクリート板（例えば、特許文献１）がある。このようなコンクリート板は、前記凹部に対応する形状の突起を成形型枠の底面に多数立設させ、その型枠内にコンクリートスラリーを打設、養生することによって、成形される。
【０００３】
【特許文献１】特開昭６０−１６２６０１号公報（図８および図９参照）
【発明の開示】
【発明が解決しようとする課題】
【０００４】
ところで、特許文献１に開示されたコンクリート板では、脱型を容易にするために、型枠の突起に抜き勾配を施さなくてはならないため、軽量化を図るべく凹部の容積を大きくするには限界がある。
また、特許文献１に開示されたコンクリート板の成形方法では、内周面または外周面に凹部を有する円管形状の型成形体を製造することはできない。
【０００５】
本発明は、上述した背景技術に鑑み成されたものであって、より軽量化を図ることができ、しかも内周面または外周面に凹部を有する円管形状の型成形体をも成形することができる型成形体の製造方法を提供することを目的とする。
【課題を解決するための手段】
【０００６】
上記した目的を達成するため、請求項１の型成形体の製造方法は、成形される型成形体の素材よりも軽量なパッドを複数配設して成る成形型枠を使用し、該成形型枠内にスラリー状の素材を打設する打設工程と、前記スラリー状の素材を養生する養生工程と、前記パッドを型成形体に残存した状態で型成形体を成形型枠から脱型させる脱型工程とを経て型成形体を得る型成形体の製造方法であって、前記パッドを前記成形型枠に植設し、前記脱型工程に先立って、硬化した型成形体を成形型枠の内面に沿った方向に移動させ、前記パッドの基部をせん断して、前記パッドを型成形体に残存させることを特徴とする。
この発明においては、型成形体は、平板ばかりでなく、筒状体をも含んでいる。また、スラリー状の素材は、コンクリート、特には超高強度繊維補強コンクリート（ＤＵＣＴＡＬ：登録商標）スラリー、圧縮外皮構造繊維板の成形に使用される例えば木材繊維、再生紙、再生木材製品等から得られる天然繊維、あるいは、種々プラスチック、ファイバーグラス等の合成繊維および鉱物繊維を含む非セルロース材料からなる原料を水分濃度９９％程度に調整した繊維含有スラリー等が挙げられる。また、パッドは、木材、合成樹脂、コルク、蝋（ＷＡＸ）等が使用され、特に合成樹脂の場合には、発泡スチロール等の発泡合成樹脂が好ましい。また、パッドの形状は、円柱体、角柱体、例えば、腹部外周面が半径方向外方に膨出した異形柱体等が挙げられる。
【０００７】
また、この発明においては、パッドの成形型枠への植設部は、スラリー状の素材を打設する際の圧力に耐える強度を有する範囲で可及的に細くすることが好ましく、パッド主部と植設部との境界に切込みを入れて、応力集中を図ればさらに好ましい。
【００１０】
また、請求項２の型成形体の製造方法は、上記請求項１の発明において、上記パッドとして、合成樹脂、蝋（ＷＡＸ）のいずれかの溶融可能な材質の部材を使用することを特徴とする。
【００１１】
また、請求項３の型成形体の製造方法は、上記請求項１の発明において、上記成形型枠のパッドは、基部周面に環状凹部を備えていることを特徴する。
【００１２】
また、請求項４の型成形体の製造方法は、上記請求項１の発明において、筒状の成形型枠の内面に上記パッドを配設し、遠心力成形によって円筒形の型成形体を得ることを特徴とする。
【発明の効果】
【００１３】
上記した請求項１の本発明によれば、パッドを型成形体内に残して脱型をするので、パッドの抜き勾配を考慮する必要がなく、したがって、凹部の容積を大きくすることができ、軽量な型成形体を得ることができる。また、内周面または外周面に凹部を形成した円管形状の型成形体の製造も可能になる。
【００１４】
また、上記した請求項１の本発明によれば、脱型に際して、成形型枠に対して型成形体を僅かに変位させるだけで、パッドを成形型枠から分離できるので、パッドの分離作業の短縮が図れる。
【００１７】
また、上記した請求項２の本発明によれば、表面に残ったパッドを溶融させることによって除去できるので、表面に凹部を有する型成形体を容易に得ることができる。
【００１８】
また、上記した請求項３の本発明によれば、凹部の開口縁に内方に張出すフランジを形成することができ、それによって型成形体の強度を高めることができる。
【００１９】
また、上記した請求項４の本発明によれば、軽量な円筒管を容易に形成することができる。
【発明を実施するための最良の形態】
【００２０】
以下、上記した本発明に係る型成形体の製造方法として、外周面に多数の凹部を形成した円筒形の型成形体を製造する方法を、図面に基づいて詳細に説明する。
【００２１】
図１は、本発明に係る型成形体の製造方法に使用される成形型枠の一実施の形態として、外周面に多数の凹部を有するコンクリート管を製造するための成形型枠を概念的に示した分解斜視図、図２は、図１の成形型枠を組み付けた状態を示した縦断面図、図３は、図２におけるIII −III 線に沿う部分の断面図、図４（ａ），（ｂ）は、型成形手順を示した図３におけるIV−IV線に沿う部分の断面図、図５は、成形されたコンクリート管を示した斜視図である。
【００２２】
この実施の形態に係る成形型枠１は、円筒形の外部成形型枠２と、円筒形の内部成形型枠３と、環状の側部成形型枠４，５とによって構成されている。上記外部成形型枠２は、半円筒形の外部成形型枠部分２ａ，２ｂによって構成されている。それぞれの外部成形型枠部分２ａ，２ｂの会合縁には、該会合縁に沿い、外方に向けてフランジ２ｃ，２ｄがそれぞれ形成され、それらのフランジ２ｃ，２ｄには、ボルト挿通孔２ｅ，２ｆが形成されている。また、外部成形型枠部分２ａ，２ｂの一方端には、連設される他のコンクリート管の端部を収容するソケットを形成する拡径部２ｇ，２ｈを備えている。そして、外部成形型枠部分２ａ，２ｂの内面には、略全面に略等間隔に六角形台のパッド６が植設されている。
【００２３】
上記パッド６は、例えば、木材或いはコルク等によって、高さ２０ｍｍ程度、一辺の長さが１５ｍｍ程度の正六角形を底面とした柱状体の主部６ａと、該主部６ａの底面中心から下方へ突出する棒状の植設部６ｂとによって構成され、主部６ａの基部周面には、全周にわたって凹部６ｃが形成されている。そして、このパッド６は、植設部６ｂを外部成形型枠部分２ａ，２ｂの内面に等間隔に形成された孔２ｉ，２ｊに嵌挿させることによって、外部成形型枠部分２ａ，２ｂに装着される。
【００２４】
そして、図２に示すように、内部成形型枠３に側部成形型枠４，５を組み付け、側部成形型枠４，５に亘って外部成形型枠部分２ａ，２ｂを組み付け、ボルト（図示せず）をフランジ２ｃ，２ｄの孔２ｅ，２ｆに挿通させ、ナット（図示せず）によって締結する。そして、それらの間に円筒状のキャビティ７を形成する。
【００２５】
続いて、上記成形型枠１を使用した、本発明に係る型成形体の製造方法を説明する。
先ず、上記ように組み付けられた成形型枠１のキャビティ７に、図４（ａ）に示すように、成形型枠１の適宜の箇所に開設した孔を介して、コンクリートスラリーＳを充填する。コンクリートスラリーＳは、例えば、セメントを基材として鋼繊維、有機繊維等の繊維を含有させた、超高強度繊維補強コンクリート（ＤＵＣＴＡＬ：登録商標）スラリーである。
【００２６】
続いて、自然養生または蒸気養生によって、コンクリートスラリーＳを硬化させ、次いで、コンクリートスラリーＳが硬化したら、図４（ｂ）に示すように、コンクリート管Ａを外部成形型枠２に対して相対的に移動させ、パッド主部６ａと基部６ｂとの境界をせん断する。
【００２７】
次いで、コンクリート管Ａを成形型枠１から脱型する。このコンクリート管Ａは、図５に示すように、６角柱状のパッド主部６ａが残され、表面には、図４（ｂ）に示すように、パッド６の主部６ａに食い込むフランジａが形成される。
【００２８】
なお、コンクリート管Ａは、熱等によってパッド主部６ａを溶融除去してもよい。この場合には、図６及び図７に示すように、パッド６の主部６ａが取除かれた部位に中空な凹部ｂが形成され、その凹部ｂの開口縁にフランジａが形成された状態になる。
【００２９】
そして、このようなコンクリート管Ａは、それらを連設して、例えば、内部に水等を流す水路として使用され、また、柱として使用される。
【００３０】
なお、上記実施の形態では、内部成形型枠３と側部成形型枠４，５と、外部成形型枠２とによって形成される円筒状のキャビティ７にコンクリートスラリーＳを充填して管を製造しているが、遠心力成形によって管を製造することもできる。この場合、内部成形型枠３は必要としない。
【００３１】
また、上記実施の形態では、外周面にパッド６を埋設した形態、または、外周面に凹部ｂを形成した形態の管の製造方法を示したが、本発明の型成形体の製造方法は、内部型成形枠３の外周面にパッド６を配設することによって、内周面にパッド６を埋設した形態、または、内周面に凹部ｂを形成した形態の管の製造にも適用できる。
【００３２】
更に、上記実施の形態では、型成形体の製造方法として、管の製造方法を示したが、平坦な型成形板の製造にも、本発明に係る型成形体の製造方法は適用できることはいうまでもない。
【図面の簡単な説明】
【００３３】
【図１】本発明に係る型成形体の製造方法に使用される成形型枠の一実施の形態として、外周面に多数の凹部を有するコンクリート管を製造するための成形型枠を概念的に示した分解斜視図である。
【図２】図１の成形型枠を組み付けた状態を示した縦断面図である。
【図３】図２におけるIII −III 線に沿う部分の断面図である。
【図４】図３におけるIV−IV線に沿う部分の断面図で、（ａ），（ｂ）は、型成形手順を示している。
【図５】図１に示した成形型枠を用いて成形されたコンクリート管を示した斜視図である。
【図６】パッドを除去したコンクリート管を示した斜視図である。
【図７】図６の一部を拡大して示した部分断面図であり、コンクリート管の凹部を示している。
【符号の説明】
【００３４】
１            成形型枠
２            外部成形型枠
２ａ，２ｂ    外部成形型枠部分
２ｃ，２ｄ    フランジ
２ｅ，２ｆ    ボルト挿通孔
２ｇ，２ｈ    拡径部
２ｉ，２ｊ    孔
３            内部成形型枠
４，５        側部成形型枠
６            パッド
６ａ          主部
６ｂ          植設部
６ｃ          凹部
７            キャビティ
Ａ            コンクリート管
ａ            フランジ
ｂ            凹部
Ｓ            コンクリートスラリー
【図１】
0005295574.tif 000002
【図２】
0005295574.tif 000003
【図３】
0005295574.tif 000004
【図４】
0005295574.tif 000005
【図５】
0005295574.tif 000006
【図６】
0005295574.tif 000007
【図７】
0005295574.tif 000008